(57)【要約】【課題】情報が変更される商品の広告において、張り替えるべき広告の状態を容易に認識可能な効果を奏する。【解決手段】商品の第一の売価情報を管理するサーバ装置と撮像手段を備えた情報処理装置と通信可能な広告管理システムであって、撮像手段で撮像された商品の広告から、該広告が印刷された際の第二の売価情報を取得する。そして広告管理システムは、サーバ装置で管理される第一の売価情報と取得した第二の売価情報とが一致するか否かを識別可能に表示するよう制御する。さらに、広告管理システムは、サーバ装置で管理される第一の売価情報と取得した第二の売価情報とが一致するか否かの情報と共に、広告の詳細情報を広告ごとに識別可能に表示するよう制御することを特徴とする。【選択図】図１１
2019079534.tif 000002
【特許請求の範囲】
【請求項１】
商品の第一の売価情報を管理するサーバ装置と撮像手段を備えた情報処理装置と通信可能な広告管理システムであって、
前記撮像手段で撮像された商品の広告から、当該広告が印刷された際の第二の売価情報を取得する取得手段と、
前記サーバ装置で管理される第一の売価情報と前記取得手段で取得した前記第二の売価情報とが一致するか否かの情報と共に前記広告の詳細情報を識別可能に表示するよう制御する表示制御手段と、
を備えることを特徴とする広告管理システム。
【請求項２】
前記第一の売価情報は、商品に対応する可変の売価情報を示し、
前記第二の売価情報は、前記広告が印刷された際の売価情報を示し、
前記広告管理システムは、前記第一の売価情報と前記第二の売価情報とが一致しているか否かを管理することを特徴とする請求項１に記載の広告管理システム。
【請求項３】
前記広告管理システムは、広告の印刷データを記憶する記憶手段をさらに備え、
前記表示制御手段は、前記記憶手段に前記第一の売価情報及び前記第二の売価情報が一致する印刷データが記憶されており、前記第一の売価情報と前記第二の売価情報とが一致しない場合に、広告の張り替え漏れであることを示す表示を行うよう制御することを特徴とする請求項１または２に記載の広告管理システム。
【請求項４】
前記広告管理システムは、前記印刷データを出力するよう制御する出力制御手段をさらに備え、
前記出力制御手段は、前記第一の売価情報と前記第二の売価情報とが一致しない場合に、前記第一の売価情報及び前記第二の売価情報が一致する広告の印刷データを出力するよう制御することを特徴とする請求項３に記載の広告管理システム。
【請求項５】
前記広告管理システムは、前記印刷データを生成する生成手段を備え、
前記生成手段は、前記第一の売価情報と前記第二の売価情報を一致させた前記印刷データを生成することを特徴とする請求項３または４に記載の広告管理システム。
【請求項６】
前記記憶手段は、期間が定められた特売用の広告の情報である企画情報を記憶し、
前記生成手段は、前記記憶手段に前記企画情報が記憶されている場合は、前記企画情報に基づいた前記印刷データの生成を行うことを特徴とする請求項５に記載の広告管理システム。
【請求項７】
前記情報処理装置は、前記撮像手段で撮像された広告の位置を示す情報を取得する位置情報取得手段をさらに備え、
前記表示制御手段は、前記広告の詳細情報と共に当該広告の位置を示す情報を表示するよう制御することを特徴とする請求項１乃至６のいずれ１項に記載の広告管理システム。
【請求項８】
商品の第一の売価情報を管理するサーバ装置と撮像手段を備えた情報処理装置と通信可能な広告管理システムの制御方法であって、
前記撮像手段で撮像された商品の広告から、該広告が印刷された際の第二の売価情報を取得する取得ステップと、
前記サーバ装置で管理される第一の売価情報と前記取得ステップで取得した前記第二の売価情報とが一致するか否かの情報と共に前記広告の詳細情報を識別可能に表示するよう制御する表示制御ステップと、
を備えることを特徴とする広告管理システムの制御方法。
【請求項９】
商品の第一の売価情報を管理するサーバ装置と通信可能な撮像手段を備えた情報処理装置であって、
前記撮像手段で撮像された商品の広告から、当該広告が印刷された際の第二の売価情報を取得する特定する特定手段と、
前記サーバ装置で管理される第一の売価情報を取得する取得手段と、
前記取得手段で取得した第一の売価情報と前記特定手段で特定した前記第二の売価情報とが一致しない前記広告の詳細情報を識別可能に表示するよう制御する表示制御手段と、
を備えることを特徴とする情報処理装置。
【請求項１０】
コンピュータを、請求項９に記載の情報処理装置の各手段として機能させるためのプログラム。
【発明の詳細な説明】
【技術分野】
【０００１】
本発明は、広告管理システム、その制御方法、及びプログラムに関する。
【背景技術】
【０００２】
スーパーマーケット等の小売店舗では、商品を陳列する陳列棚に、商品や価格、商品の販売促進をするためのキャッチコピーや説明文が記載されたＰＯＰ（Ｐｏｉｎｔ  ｏｆ  ｐｕｒｃｈａｓｅ）広告を掲示するのが一般的である。
【０００３】
このようなＰＯＰ広告に記載の商品の価格やキャッチコピーは、期間限定のキャンペーンや特売が多くあり、内容が変わることがある。したがって実際の商品の情報とＰＯＰ広告に記載の内容が異なる場合に、小売店舗の担当者がＰＯＰ広告を張り替えるという作業が行われる。
【０００４】
そのため、取り外すべきＰＯＰ広告が担当者に分かるように、掲載しているＰＯＰ広告の有効または無効を判断可能な仕組みが特許文献１に記載されている。
【０００５】
特許文献１では、ＰＯＰ広告に札識別情報若しくは商品識別情報といった商品情報を印字させておく。そして掲載可否の判断時には、ＰＯＰ広告の商品情報を読み取り、当該ＰＯＰ広告に記載の商品情報が有効または無効かを判断する処理を行う仕組みが開示されている。
【先行技術文献】
【特許文献】
【０００６】
【特許文献１】特開２０１４−４８７５２号公報
【発明の概要】
【発明が解決しようとする課題】
【０００７】
特許文献１の仕組みで無効であるＰＯＰ広告が掲載されていると判断された場合、ＰＯＰ広告の張り替え作業が生じる。この場合に、担当者はＰＯＰ広告の張り替え漏れなのか、新たなＰＯＰ広告のデータの作成が必要なのか、などＰＯＰ広告の無効状態に対応する次の作業を知る必要がある。
【０００８】
しかしながら、商品情報の変更が頻繁に発生する場合には、その都度ＰＯＰ広告の張り替え作業を行わなければならない。このような場合に、担当者は、掲示中のＰＯＰ広告の内容のうちいずれの項目が無効なのかを張り替え作業の度に確認しなければならず、担当者にとって手間がかかる作業であった。
【０００９】
本実施形態においては、情報が変更される商品の広告において、張り替えるべき広告の状態を容易に認識可能な広告管理システムを提供することを目的とする。
【課題を解決するための手段】
【００１０】
本発明の広告管理システムは、商品の第一の売価情報を管理するサーバ装置と撮像手段を備えた情報処理装置と通信可能な広告管理システムであって、前記撮像手段で撮像された商品の広告から、該広告が印刷された際の第二の売価情報を取得する取得手段と、前記サーバ装置で管理される第一の売価情報と前記取得手段で取得した前記第二の売価情報とが一致するか否かの情報と共に前記広告の詳細情報を識別可能に表示するよう制御する表示制御手段と、を備えることを特徴とする。
【発明の効果】
【００１１】
本発明によれば、情報が変更される商品の広告において、張り替えるべき広告の状態を容易に認識可能な効果を奏する。
【図面の簡単な説明】
【００１２】
【図１】広告管理システムのシステム構成の一例を示す図である。
【図２】情報処理装置１００、サーバ装置１０１、携帯端末１０２のハードウェア構成の一例を示す図である。
【図３】印刷装置１０３のハードウェア構成の一例を示す図である。
【図４】情報処理装置１００、サーバ装置１０１、携帯端末１０２の機能構成を示す図である。
【図５】本発明の第一の実施形態における、広告を印刷する場合の処理の流れを示すフローチャートである。
【図６】本発明の第一の実施形態における、広告の張り替えが必要か否かを携帯端末でチェック可能な処理の流れを示すフローチャートである。
【図７】本発明の第二の実施形態における、広告の張り替えが必要な場合に広告を自動で印刷する処理の流れを示すフローチャートである。
【図８】本発明の第二の実施形態における、広告の張り替えが必要な場合に広告を自動で印刷する処理の流れを示すフローチャートであり、図７のフローチャートの続きである。
【図９】本実施形態における売価チェックテーブル９００と、チェック結果テーブル９１０の一例を示す図である。
【図１０】本実施形態における企画指示テーブル１０００の一例を示す図である。
【図１１】本実施形態における携帯端末１０２で表示される画面例を示す図である。
【図１２】本発明の第三の実施形態における、店内のどの位置にあるＰＯＰ広告がどのような状態にあるのかを示す画面を表示する処理の流れを示すフローチャートである。
【図１３】本発明の第三の実施形態における広告位置チェックテーブル１３００の一例を示す図である。
【図１４】本発明の第三の実施形態における張り替えが必要な広告情報を示す画面１４００の一例を示す図である。
【図１５】本発明の第三の実施形態における広告イメージ１５００の一例を示す図である。
【発明を実施するための形態】
【００１３】
[実施形態１]
以下、図面を参照して、本発明の実施形態を詳細に説明する。
【００１４】
図１は、本実施形態における広告管理システムのシステム構成を示す図である。図１に示すように本願発明は、情報処理装置１００とサーバ装置１０１と印刷装置１０３とがネットワーク１０５を介して相互にデータ通信可能に接続されている。ネットワーク１０５はＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等がある。また、タッチスクリーンを備えたスマートデバイス等の携帯端末１０２は情報処理装置１００とサーバ装置１０１と印刷装置１０３とは常時通信可能となっていなくてもよく、必要に応じて通信できればよい。
【００１５】
図１のネットワーク１０５上に接続される各種端末あるいはサーバの構成は一例であり、用途や目的に応じて様々な構成例があることは言うまでもない。
【００１６】
情報処理装置１００（クライアント端末もしくはサーバ装置）は、スーパーマーケット等の店舗の従業員がカラーコードを含むＰＯＰ広告の作成指示を行う際に用いることにできる端末であり、店舗ごとに設けられている端末である。
【００１７】
カラーコードとは、色の違いと配列で情報を表現することができる仕組みであり、例えば「赤」「青」「黄」といった複数の色のセルを列またはマトリックス状に配置することで情報を表現することができる。このようなカラーコードは、２次元バーコードに比べて約５０倍の距離から認識が可能であるため接写する必要がなく、複数のカラーコードを同時に認識させることができる。本実施形態ではこのようなカラーコードが表示されたＰＯＰ広告の作成指示が行われる。
【００１８】
サーバ装置１０１は、『春の大感謝祭』といった期間限定の企画や当該企画に対応する商品情報やＰＯＰレイアウトといった各種データベースの管理を行うことができる。このようなサーバ装置１０１上で企画を管理しておくことで、各店舗からの情報処理装置１００からのアクセスに応じて共通の企画、共通の商品情報、共通のＰＯＰレイアウトが利用できる。尚、サーバ装置１０１を設けることなく、各店舗の情報処理装置１００で、企画、商品情報、ＰＯＰレイアウト等を管理することも可能である。
【００１９】
携帯端末１０２は、各店舗の従業員がＰＯＰ広告の掲載内容に変更がないか、掲載期間が経過したかを判断する際に用いる端末であり、簡便に持ち運ぶことができるように設けられている。本発明によれば、このような携帯端末１０２のカメラ２３２で店舗の商品陳列棚などに掲示されているＰＯＰ広告を撮像するだけで、当該ＰＯＰ広告の記載の変更の有無を容易に判断することができる。また、サーバ装置１０１等と通信することなく判断できるように設けることで、通信環境の悪い店舗であっても掲載期間内のものであるかを容易に判断することができる。
【００２０】
印刷装置１０３は、各店舗に設けられたＰＯＰ広告を印刷することができるプリンタであり、インクジェット式プリンタもしくはレーザープリンタのいずれでも良いが、カラーコードを印字することのできるカラー対応のプリンタの必要がある。この印刷装置１０３は、各店舗からの印刷要求に応じて印刷する際だけでなく、本部からの印刷指示も受け付け印刷することができる。
【００２１】
図２（ａ）は、情報処理装置１００とサーバ装置１０１のハードウェア構成の一例を示す図である。
【００２２】
ＣＰＵ２０１は、システムバス２０４に接続される各デバイスやコントローラを統括的に制御する。
【００２３】
また、ＲＯＭ２０２あるいは外部メモリ２１１（記憶手段）には、ＣＰＵ２０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）等が記憶される。また、情報処理装置１００とサーバ装置１０１の実行する機能を実現するために必要な後述する各種プログラム等が記憶されている。ＲＡＭ２０３は、ＣＰＵ２０１の主メモリ、ワークエリア等として機能する。
【００２４】
ＣＰＵ２０１は、処理の実行に際して必要なプログラム等をＲＡＭ２０３にロードして、プログラムを実行することで各種動作を実現するものである。
【００２５】
また、入力コントローラ（入力Ｃ）２０５は、キーボードや不図示のマウス等のポインティングデバイス等の入力デバイス２０９からの入力を制御する。
【００２６】
ビデオコントローラ（ＶＣ）２０６は、ディスプレイ２１０等の表示器への表示を制御する。表示器の種類はＣＲＴや、液晶ディスプレイを想定するが、これに限らない。
【００２７】
メモリコントローラ（ＭＣ）２０７は、ブートプログラム、ブラウザソフトウエア、各種のアプリケーション、フォントデータ、各種データ等を記憶するハードディスク（ＨＤ）やフレキシブルディスク（ＦＤ）等の外部メモリ２１１へのアクセスを制御する。或いはＰＣＭＣＩＡカードスロットにアダプタを介して接続されるカード型メモリ等の外部メモリ２１１へのアクセスを制御する。
【００２８】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２９】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００３０】
本発明の情報処理装置１００とサーバ装置１０１が後述する各種処理を実行するために用いられる各種プログラム等は外部メモリ２１１に記録されており、必要に応じてＲＡＭ２０３にロードされることによりＣＰＵ２０１によって実行されるものである。
【００３１】
さらに、本発明に係わるプログラムが用いる定義ファイルや各種情報テーブルは外部メモリ２１１に格納されている。
【００３２】
図２（ｂ）は、タッチスクリーンを備えたスマートデバイス等の携帯端末１０２のハードウェア構成の一例を示す図である。
【００３３】
ＣＰＵ２２１は、システムバス２２４に接続される各デバイスやコントローラを統括的に制御する。
【００３４】
また、ＲＯＭ２２２あるいは外部メモリ２３１（記憶手段）には、ＣＰＵ２２１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）等が記憶されている。また、携帯端末１０２の実行する機能を実現するために必要な後述する各種プログラム等が記憶されている。ＲＡＭ２２３は、ＣＰＵ２２１の主メモリ、ワークエリア等として機能する。
【００３５】
ＣＰＵ２２１は、処理の実行に際して必要なプログラム等をＲＡＭ２２３にロードして、プログラムを実行することで各種動作を実現するものである。また、タッチパネルコントローラ２２５は、タッチパネル２３３を制御し、ディスプレイコントローラ２２６がディスプレイ２３０を制御し、カメラコントローラ２２９がカメラ２３２を制御する。
【００３６】
メモリコントローラ２２７は、ブートプログラム、ブラウザソフトウエア、各種のアプリケーション、編集ファイル、各種データ等を記憶するハードディスク（ＨＤ）やフレキシブルディスク（ＦＤ）等の外部メモリ２３１へのアクセスを制御する。或いはＰＣＭＣＩＡカードスロットにアダプタを介して接続されるカード型メモリ等の外部メモリ２３１へのアクセスを制御する。
【００３７】
通信Ｉ／Ｆコントローラ（通信Ｉ／ＦＣ）２２８は、ネットワークを介して、外部機器と接続・通信するものであり、ネットワークでの通信制御処理を実行する。例えば、ＴＣＰ／ＩＰを用いたインターネット通信等が可能である。
【００３８】
尚、ＣＰＵ２２１は、例えばＲＡＭ２２３内の表示情報用領域へアウトラインフォントの展開（ラスタライズ）処理を実行することにより、ディスプレイ２３０上での表示を可能としている。
【００３９】
本発明の携帯端末１０２が後述する各種処理を実行するために用いられる各種プログラム等は外部メモリ２３１に記録されており、必要に応じてＲＡＭ２２３にロードされることによりＣＰＵ２２１によって実行されるものである。さらに、本発明に係わるプログラムが用いる定義ファイルや各種情報テーブルは外部メモリ２３１に格納されている。
【００４０】
次に図３を用いて印刷装置１０３のハードウェア構成の一例を説明する。
【００４１】
図３において、コントローラユニット３３３は、画像出力デバイスとして機能するプリント部３１４、カードリーダ３１５、操作部３１８と接続される。そして接続されるとともに、ローカルエリアネットワークや、例えばＰＳＴＮまたはＩＳＤＮ等の公衆回線（ＷＡＮ）と接続することで、広告の印刷ジョブの出力を行なう。
【００４２】
図３に示すように、コントローラユニット３３３は、ＣＰＵ３０１、ＲＡＭ３０６、ＲＯＭ３０２、外部記憶装置（ハードディスクドライブ（ＨＤＤ））３０７、ネットワークインタフェース（Ｎｅｔｗｏｒｋ  Ｉ／Ｆ）３０３、等で構成される。また、コントローラユニット３３３は、モデム（Ｍｏｄｅｍ）３０４、操作部インタフェース（操作部Ｉ／Ｆ）３０５、外部インタフェース（外部Ｉ／Ｆ）３０９、イメージバスインタフェース（ＩＭＡＧＥ  ＢＵＳ  Ｉ／Ｆ）３０８等で構成される。さらにコントローラユニット３３３は、ラスタイメージプロセッサ（ＲＩＰ）３１０、プリンタインタフェース（プリンタＩ／Ｆ）３１１、画像処理部３１３等で構成される。
【００４３】
ＣＰＵ３０１は、システム全体を制御するプロセッサである。
【００４４】
ＲＡＭ３０６は、ＣＰＵ３０１が動作するためのシステムワークメモリであり、プログラムを記録するためのプログラムメモリや、画像データを一時記憶するための画像メモリである。
【００４５】
ＲＯＭ３０２は、システムのブートプログラムや各種制御プログラムが格納されている。
【００４６】
外部記憶装置（ハードディスクドライブＨＤＤ）３０７は、システムを制御するための各種プログラム、印刷ジョブ等を格納する。また、各種テーブルを記憶している。
【００４７】
操作部インタフェース（操作部Ｉ／Ｆ）３０５は、操作部（ＵＩ）３１８とのインタフェース部であり、操作部３１８に表示する画像データを操作部３１８に対して出力する。
【００４８】
また、操作部Ｉ／Ｆ３０５は、操作部３１８から本システム使用者が入力した情報（例えば、ユーザ情報等）をＣＰＵ３０１に伝える役割をする。尚、操作部３１８はタッチパネルを有する表示部を備え、当該表示部に表示されたボタンを、ユーザが押下（指等でタッチ）することにより、各種指示を行うことができる。
【００４９】
ネットワークインタフェース（Ｎｅｔｗｏｒｋ  Ｉ／Ｆ）３０３は、ネットワーク（ＬＡＮ）に接続し、データの入出力を行なう。
【００５０】
モデム（ＭＯＤＥＭ）３０４は公衆回線に接続し、ＦＡＸの送受信等のデータの入出力を行う。
【００５１】
外部インタフェース（外部Ｉ／Ｆ）３０９は、ＵＳＢ、ＩＥＥＥ１３９４、プリンタポート、ＲＳ−２３２Ｃ等の外部入力を受け付けるインタフェース部である。
【００５２】
イメージバスインタフェース（ＩＭＡＧＥ  ＢＵＳ  Ｉ／Ｆ）３０８は、システムバス３１６と画像データを高速で転送する画像バス３１７とを接続し、データ構造を変換するバスブリッジである。画像バス３１７は、ＰＣＩバスまたはＩＥＥＥ１３９４で構成される。画像バス３１７上には以下のデバイスが配置される。
【００５３】
ラスタイメージプロセッサ（ＲＩＰ）３１０は、例えば、ＰＤＬコード等のベクトルデータをビットマップイメージに展開する。
【００５４】
プリンタインタフェース（プリンタＩ／Ｆ）３１１は、プリント部３１４とコントローラユニット３３３を接続し、画像データの同期系／非同期系の変換を行う。
【００５５】
画像処理部３１３は、印刷ジョブを展開したプリント出力画像データに対して、プリンタの補正、解像度変換等を行う。また、これに加えて、画像処理部３１３は、画像データの回転や、多値画像データに対してはＪＰＥＧ、２値画像データはＪＢＩＧ、ＭＭＲ、ＭＨ等の圧縮伸張処理を行う。
【００５６】
プリンタＩ／Ｆ３１１に接続されるプリント部３１４は、ラスタイメージデータを用紙上の画像に変換する部分である。その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、ＣＰＵ３０１からの指示によって開始する。尚、プリント部３１４には、異なる用紙サイズまたは異なる用紙向きを選択できるように複数の給紙段を持ち、それに対応した用紙カセットがある。
【００５７】
操作部Ｉ／Ｆ３０５に接続される操作部３１８は、液晶ディスプレイ（ＬＣＤ）表示部を有する。ＬＣＤ上にはタッチパネルシートが貼られており、システムの操作画面を表示するとともに、表示してあるキーが押されると、その位置情報を操作部Ｉ／Ｆ３０５を介してＣＰＵ３０１に伝える。また、操作部３１８は、各種操作キーとして、例えば、スタートキー、ストップキー、ＩＤキー、リセットキー等を備える。
【００５８】
ここで、操作部３１８のスタートキーは、印刷動作を開始する時などに用いる。スタートキーの中央部には、緑と赤の２色のＬＥＤがあり、その色によってスタートキーが使える状態であるか否かを示す。また、操作部３１８のストップキーは、稼動中の動作を止める働きをする。また、操作部３１８のＩＤキーは、使用者のＩＤを入力する時に用いる。リセットキーは、操作部３１８からの設定を初期化する時に用いる。
【００５９】
次に、図４を用いて、情報処理装置１００、サーバ装置１０１、携帯端末１０２、印刷装置１０３の機能構成について説明する。尚、図４に記載の情報処理装置１００、サーバ装置１０１、携帯端末１０２、印刷装置１０３の機能構成は一例であり、用途や目的に応じて様々な構成例がある。
【００６０】
情報処理装置１００は機能部として、通信制御部４０１と、カラーコード生成部４０２と、広告データ生成部４０３とを備える。
【００６１】
通信制御部４０１は、情報処理装置１００とサーバ装置１０１、及び印刷装置１０３との通信を制御するための機能部である。
【００６２】
カラーコード生成部４０２は情報を含んだカラーコードを生成する機能部である。具体的には、ＰＯＰ広告ごとの識別情報である印刷連番を示すカラーコードを生成する。印刷連番は、ＰＯＰ広告の印刷指示を受け付けた際にＰＯＰ広告ごとに割り振られる識別番号である。尚、本実施形態では印刷連番をカラーコードで示すが、商品の売価情報やＰＯＰ広告の掲載期間など、カラーコードで示す情報は商品やＰＯＰ広告に関する印刷連番以外の情報であってもよい。また、カラーコードは必ずしも情報処理装置１００で生成されずともよく、サーバ装置１０１や印刷装置１０３、もしくは他の装置で生成されたものを情報処理装置１００で管理してもよい。
【００６３】
広告データ生成部４０３は、商品に対応する広告データを生成するための機能部である。本実施形態では、カラーコード生成部４０２で生成したカラーコードを商品情報と共に含めた広告データを生成する。
【００６４】
次に、サーバ装置１０１の機能部について説明する。サーバ装置１０１は、通信制御部４０４と記憶部４０５と印刷連番取得部４０６とを備える。
【００６５】
通信制御部４０４は、情報処理装置１００と携帯端末１０２、及び印刷装置１０３との通信を制御する機能部である。
【００６６】
記憶部４０５は、後述する各種テーブルやマスタの情報や、各種画面を構成する情報を記憶するための機能部である（記憶手段）。必要に応じて、情報の追加、更新、削除を行う。
【００６７】
印刷連番取得部４０６は、サーバ装置１０１が情報処理装置１００からＰＯＰ広告の印刷指示を受け付けた場合に、ＰＯＰ広告ごとに印刷連番を取得するための機能部である。印刷連番取得部４０６で取得された印刷連番をサーバ装置１０１から情報処理装置１００に送信し、情報処理装置１００のカラーコード生成部は受信した印刷連番を示すカラーコードを生成する。
【００６８】
次に、携帯端末１０２の機能部について説明する。携帯端末１０２の機能部は撮像部４０７と表示制御部４０８を備える。
【００６９】
撮像部４０７は、携帯端末１０２が備えるカメラ２３２での撮像の制御を行う機能部である。本実施形態ではＰＯＰ広告に含まれるカラーコードを撮像することでＰＯＰ広告の変更を識別可能に画面に表示する。
【００７０】
表示制御部４０８は、携帯端末１０２のディスプレイ２３０の表示を制御するための機能部である（表示制御手段）。表示制御部４０８からの画面の表示指示がなされると、ビデオコントローラ２０６を介してディスプレイ２１０に表示指示が送信される。そして、ディスプレイ２３０はこの指示を受信すると、指示に従って画面を表示する。
【００７１】
次に図５及び図６のフローチャートを用いて、ＰＯＰ広告の作成から変更すべきＰＯＰ広告の通知までの一連の処理の流れを説明する。図５及び図６のフローチャートで説明する実施形態は、本発明の第一の実施形態である。
【００７２】
図５は、ユーザから指定を受け付けたＰＯＰ広告を出力するまでのフローチャートである。
【００７３】
ステップＳ５０１では、情報処理装置１００のＣＰＵ２０１は、あらかじめ情報処理装置１００で記憶している広告のテンプレートから、ユーザ任意の広告テンプレートの選択を受け付ける。広告テンプレートとは、ＰＯＰ広告において、どの位置に商品名や売価、キャッチコピーを配置するかを設定している広告のレイアウトを示す。
【００７４】
ステップＳ５０２では、情報処理装置１００のＣＰＵ２０１は、ＰＯＰ広告を作成する商品の選択を受け付ける。情報処理装置１００のＣＰＵ２０１は、一つ一つの商品に対して選択を受け付けてもよいし、期間限定のイベントに該当する商品リストなど、ある程度まとめれられている商品すべての指定を一括で受け付けてもよい。
【００７５】
ステップＳ５０３では、情報処理装置１００のＣＰＵ２０１は、ステップＳ５０２で選択を受け付けた商品のＪＡＮコード（Ｊａｐａｎｅｓｅ  Ａｒｔｉｃｌｅ  Ｎｕｍｂｅｒ）と共に当該商品に対応する広告の印刷指示をサーバ装置１０１に送信する。尚、本実施形態では商品を特定する情報としてＪＡＮコードを送信するが、商品名称や店舗別で管理している商品コードなど、商品を特定可能な識別情報であればＪＡＮコード以外の情報を送信してもよい。
【００７６】
ステップＳ５０４では、サーバ装置１０１のＣＰＵ２０１は、情報処理装置１００から商品のＪＡＮコードと印刷指示を受信する。
【００７７】
ステップＳ５０５では、サーバ装置１０１のＣＰＵ２０１は、サーバ装置１０１と連携しているＰＯＳシステム（Ｐｏｉｎｔ  Ｏｆ  Ｓａｌｅｓ  ｓｙｓｔｅｍ）からステップＳ５０４で受信したＪＡＮコードに対応する商品の売価情報を取得する（取得手段）。ＰＯＳシステムは商品の販売情報を管理しており、変動する商品の売価も管理している。ステップＳ５０５でサーバ装置１０１がＰＯＳシステムから取得する売価情報は、売価情報を取得する時点での商品の売価である。
【００７８】
ステップＳ５０６では、サーバ装置１０１のＣＰＵ２０１は、印刷連番取得部４０６の機能により印刷連番を取得する。サーバ装置１０１のＣＰＵ２０１は、印刷指示を受け付けたＰＯＰ広告１枚ごとに番号（印刷連番）を取得する。同じＪＡＮコードを持つ商品のＰＯＰ広告の印刷連番が過去に取得されていても、あらたに印刷指示を受信した場合はサーバ装置１０１のＣＰＵ２０１は、新規で印刷連番を取得する。
【００７９】
ステップＳ５０７では、サーバ装置１０１のＣＰＵ２０１は、ステップＳ５０４で受信したＪＡＮコード、ステップＳ５０５で取得した売価情報、ステップＳ５０６で取得した印刷連番を対応付けて売価チェックテーブル９００に記憶する。
【００８０】
図９の売価チェックテーブル９００は、印刷指示を受け付けたＰＯＰ広告の情報を管理するテーブルである。携帯端末１０２で撮像したＰＯＰ広告の変更内容を確認する際にもサーバ装置１０１のＣＰＵ２０１は、売価チェックテーブル９００を確認する。売価チェックテーブル９００は、ＪＡＮコード９０１、印刷連番９０２、印刷時価格９０３、印刷フラグ９０４、印刷時間９０５、売価９０６を備える。ＪＡＮコード９０１はステップＳ５０４でサーバ装置１０１が受信し、印刷連番９０２はステップＳ５０６でサーバ装置１０１が取得したものを記憶している。印刷時価格９０３はステップＳ５０５でサーバ装置１０１がＰＯＳシステムから取得した売価であり、ＪＡＮコード９０１と印刷連番９０２と印刷時価格９０３は対応付けて記憶されている。印刷フラグ９０４は印刷指示を受け付けた広告を印刷したか否かを管理する。印刷時間９０５は、ＰＯＰ広告を印刷した時間を記憶する。売価９０６は印刷時価格９０３とは別に取得する売価情報であり、携帯端末１０２でＰＯＰ広告を撮像して確認したタイミングや所定期間ごとに、ＰＯＳシステムから商品の売価情報を取得し記憶する。掲載しているＰＯＰ広告に金額の変更があるか否かを確認する際は、印刷時価格９０３と売価９０６に格納されている値を比較する。
【００８１】
図５に説明を戻す。ステップＳ５０８では、サーバ装置１０１のＣＰＵ２０１は、ＪＡＮコードと対応づいた印刷連番をＪＡＮコードと共に情報処理装置１００に送信する。
【００８２】
ステップＳ５０９では、情報処理装置１００のＣＰＵ２０１は、サーバ装置１０１からＪＡＮコードと印刷連番を受信する。
【００８３】
ステップＳ５１０では、情報処理装置１００のＣＰＵ２０１は、印刷連番を示すカラーコードをカラーコード生成部４０２の機能により生成する。そして、広告データ生成部４０３の機能により、カラーコードを含めた広告データを生成する。
【００８４】
ステップＳ５１１では、情報処理装置１００のＣＰＵ２０１は、通信制御部４０１の機能により、印刷装置１０３に出力指示を送信する（出力制御手段）。
【００８５】
ステップＳ５１２では、情報処理装置１００のＣＰＵ２０１は、ステップＳ５１１で印刷指示を送信したことを示す情報をサーバ装置１０１に送信する。尚、確実に印刷したことを確認するために、情報処理装置１００のＣＰＵ２０１は、印刷装置１０３から印刷が完了したか否かの情報を受け取った後にサーバ装置１０１に印刷結果を送信してもよい。
【００８６】
ステップＳ５１３では、サーバ装置１０１のＣＰＵ２０１は、情報処理装置１００から印刷結果を受信する。
【００８７】
ステップＳ５１４では、サーバ装置１０１のＣＰＵ２０１は、情報処理装置１００から受信した印刷結果を記憶部４０５の機能により記憶する。より具体的には、サーバ装置１０１のＣＰＵ２０１は、売価チェックテーブル９００の印刷フラグ９０４に「１」を格納する。ＰＯＰ広告のデータは生成したが、まだ印刷装置１０３で印刷されていない場合はサーバ装置１０１のＣＰＵ２０１が「０」を格納する。
【００８８】
以上で、指定を受け付けたＰＯＰ広告を出力する処理の説明を終了する。この処理により、ＰＯＰ広告のデータ作成時に割り振られた印刷連番を示すカラーコードが生成され、当該カラーコードを含んだＰＯＰ広告が作成され、印刷される。
【００８９】
次に、図６を用いて、図５のフローチャートの処理により印刷されたＰＯＰ広告を携帯端末で撮像し、変更があるＰＯＰ広告をユーザに通知する一連の処理の流れを説明する。
【００９０】
ステップＳ６０１では、携帯端末１０２のＣＰＵ２２１は、ＰＯＰ広告の内容チェックを行うためのアプリケーションをあらかじめ携帯端末１０２にインストールしておき、該当するアプリケーションを起動する。
【００９１】
ステップＳ６０２では、携帯端末１０２のＣＰＵ２２１は、撮像部４０７の機能によりＰＯＰ広告の撮像を開始する。
【００９２】
ステップＳ６０３では、携帯端末１０２のＣＰＵ２２１は、ＰＯＰ広告に含まれているカラーコードが示す印刷連番を特定する。
【００９３】
ステップＳ６０４では、ステップＳ６０３で特定した印刷連番をサーバ装置１０１に送信する。
【００９４】
ステップＳ６０５では、サーバ装置１０１のＣＰＵ２０１は、携帯端末１０２から印刷連番を受信する。
【００９５】
ステップＳ６０６では、サーバ装置１０１のＣＰＵ２０１は、受信した印刷連番をキーにして、記憶部４０５の機能により記憶されている売価チェックテーブル９００の印刷連番９０２を検索する。
【００９６】
ステップＳ６０７では、サーバ装置１０１のＣＰＵ２０１は、ステップＳ６０６で検索した印刷連番を印刷連番９０２の中から特定し、さらに印刷連番９０２と対応付けて記憶される印刷時価格９０３と売価９０６を参照する。印刷時価格９０３に格納されている売価は、ＰＯＰ広告を印刷した時点での売価であるため不変の値である。一方、売価９０６に格納されている値は所定のタイミングでＰＯＳシステムから取得するため可変の売価となる。次に、サーバ装置１０１のＣＰＵ２０１は、印刷時価格９０３に格納されている売価と売価９０６に格納されている売価とを比較し、二つの売価が同一の値か否か（一致しているか否か）を判定する。サーバ装置１０１のＣＰＵ２０１は、二つの売価が同一であると判定した場合はステップＳ６０８に処理を進め、問題なしと判定する。つまりＰＯＰ広告の商品情報の内容に変更なしと判定してステップＳ６１２に処理を進める。サーバ装置１０１のＣＰＵ２０１は、二つの売価が同一でない、異なる売価であると判定した場合はステップＳ６０９に処理を進める。
【００９７】
ステップＳ６０９では、サーバ装置１０１のＣＰＵ２０１は、最新連番があるか否かを判定する。より具体的には、検索キーとした印刷連番に対応付けられたＪＡＮコードを特定し、当該ＪＡＮコードをキーとして売価チェックテーブル９００のＪＡＮコード９０１を検索する。同一のＪＡＮコードが特定され、新たに印刷連番（最新連番）が記憶されていた場合は、ＰＯＰ広告の張り替えに対応するために売価を更新したＰＯＰ広告の印刷データが生成されていることを示す。そこで、サーバ装置１０１のＣＰＵ２０１は、最新連番があると判定した場合はステップＳ６１１に進み、ＰＯＰ広告の広告データは生成、印刷指示受付済みであり、ＰＯＰ広告の張り替え漏れであると判定する。サーバ装置１０１のＣＰＵ２０１は、最新連番がないと判定した場合はステップＳ６１０に処理を進め、ＰＯＰ広告の内容（売価）に変更が生じ、ＰＯＰ広告も未印刷であると判断する。
【００９８】
ここで、図９のチェック結果テーブル９１０について説明する。本実施形態におけるチェック結果テーブル９１０は、ＰＯＰ広告の印刷連番を元に売価に変更が生じたか否かを判定した結果を格納するテーブルの一例を示す。チェック結果テーブル９１０は、ＪＡＮコード９１１、印刷連番９１２、チェック結果９１３を備える。チェック結果９１３は、ＰＯＰ広告の変更内容を確認し、ステップＳ６０８、ステップＳ６１０、ステップＳ６１１で判定した結果をそれぞれ示す。例えば、ＰＯＰ広告が示す情報に変更がなく問題なしであればサーバ装置１０１のＣＰＵ２０１は、「０」を格納する。ＰＯＰ広告が示す情報に変更は生じているが、最新連番を取得しているため新しいＰＯＰ広告は印刷済みである、つまり単なるＰＯＰ広告の張り替え漏れであると判定した場合は、サーバ装置１０１のＣＰＵ２０１は、「１」をチェック結果９１３に格納する。ＰＯＰ広告が示す情報に変更があり、最新連番も取得していないため情報を更新したＰＯＰ広告を印刷していないと判定した場合はサーバ装置１０１のＣＰＵ２０１は、チェック結果９１３に「２」を格納する。
【００９９】
図６のフローチャートに話を戻す。ステップＳ６１２では、サーバ装置１０１のＣＰＵ２０１は、図９のチェック結果テーブル９１０に記憶した結果を携帯端末１０２に送信する。
【０１００】
ステップＳ６１３では、携帯端末１０２のＣＰＵ２２１は、サーバ装置１０１からチェック結果を受信する。
【０１０１】
ステップＳ６１４では、携帯端末１０２のＣＰＵ２２１は、ステップＳ６１３で受信したチェック結果をもとに、ＰＯＰ広告の変更内容を通知する。本実施形態では、表示制御部４０８の機能により、記載内容に変更のあるＰＯＰ広告を携帯端末１０２のディスプレイ２３０上に識別表示する。また、携帯端末１０２のＣＰＵ２２１は、ステップＳ６１３で受信したチェック結果に応じて、ＰＯＰ広告ごとに詳細情報も表示する。ここで言う詳細情報とは、サーバ装置１０１のＣＰＵ２０１がＰＯＰ広告の売価に変更があると判定した場合に店舗の担当者に知らせるべきＰＯＰ広告の状態を示す情報である。ここで、ＰＯＰ広告の状態を示す情報は、一例として、エラーが出たＰＯＰ広告は張り替え漏れなのか、それとも新たなＰＯＰ広告のデータの作成が必要なのか、といった店舗の担当者に次の作業を示すための情報を含む。
【０１０２】
図１１は、ステップＳ６１４で携帯端末１０２のＣＰＵ２２１が、サーバ装置１０１から受信したチェック結果に対応する識別表示を行った一例を示す図である。携帯端末１０２のディスプレイ２３０には撮像中の店内の様子が表示され、ＰＯＰ広告１１０１と、ＰＯＰ広告１１０１に含まれるカラーコード１１０２が表示されている。携帯端末１０２でカラーコード１１０２を読み取り、ＰＯＰ広告の状態を判定する。張り替え漏れエラー表示１１０４と未印刷エラー表示１１０３は、それぞれチェック結果に対応するＰＯＰ広告のエラー表示を撮像画像に重畳する形で識別表示している。張り替え漏れエラー表示１１０４と未印刷エラー表示１１０３とが重畳されているＰＯＰ広告は、ともにＰＯＰ広告に記載の売価と実際の商品の売価に変更が起きたＰＯＰ広告である。本実施形態では、問題のあるＰＯＰ広告の掲載可否を管理するだけでなく変更すべきＰＯＰ広告のエラー状態を通知可能なため、ＰＯＰ広告をチェックし張り替えを行う店舗の担当者の確認作業を軽減することが可能となる。尚、本実施形態では掲載内容に変更のあるＰＯＰ広告を通知できればよいため、表示に限らず音声など他の通知方法で通知してもよい。また、エラー状態の表示に限らず、売価に変更のあるＰＯＰ広告は、撮像画像に正しい売価を重畳して表示させてもよい。
【０１０３】
以上で、変更があるＰＯＰ広告をユーザ（店舗の担当者）に通知する一連の処理の流れの説明を終了する。この処理により、店舗の担当者は張り替えるべきＰＯＰ広告を一目で認識することができる。また、本実施形態では売価が変更となったＰＯＰ広告に対して、新しく売価を更新したＰＯＰ広告の印刷データを作成する必要があるのか、それとも印刷データを新たに作成する必要はなく単なる張り替え漏れなのか、といった詳細情報も分かる。そのため店舗の担当者は、ＰＯＰ広告を携帯端末１０２で撮像するだけで、張り替えが必要なＰＯＰ広告を発見した際の次の作業を把握することが可能となる。
【０１０４】
[実施形態２]
次に、本発明の第二の実施形態について図７及び図８のフローチャートを用いて説明する。第一の実施形態では、ＰＯＰ広告に記載の内容に変更があるか否かを判定し、変更があるＰＯＰ広告を識別表示して通知した。第二の実施形態では、携帯端末１０２で撮像し、掲載内容に変更が生じているＰＯＰ広告がある場合には、当該ＰＯＰ広告を抽出して変更内容を更新したＰＯＰ広告を自動印刷する仕組みを記載する。
【０１０５】
図７のステップＳ７０１からステップＳ７０７までの処理は図６のステップＳ６０１からステップＳ６０７と同一であるため説明を省略する。ステップＳ７０１からステップＳ７０７までの処理は、携帯端末１０２で撮像しカラーコードから読み取った印刷連番に基づいて、特定された商品の売価をサーバ装置１０１で比較する処理である。
【０１０６】
ステップＳ７０８では、サーバ装置１０１のＣＰＵ２０１は、ステップＳ７０７で印刷時価格９０３に格納されている売価と売価９０６に格納されている売価とを比較し、二つの売価が同一の値ではないと判定した場合の処理である。サーバ装置１０１のＣＰＵ２０１は、売価に変更が生じたＰＯＰ広告の印刷連番に対応づくＪＡＮコードを特定する。
【０１０７】
ステップＳ７０９では、サーバ装置１０１のＣＰＵ２０１は、現在の日付情報を特定する。
【０１０８】
ステップＳ７１０では、サーバ装置１０１のＣＰＵ２０１は、記憶部４０５の機能により記憶されている企画情報を取得する。企画情報とは、店舗で開催される期間限定の特売セ――ル等の企画のことであり、企画ごとに用意されるＰＯＰ広告のレイアウトやキャッチコピー、売価等の情報をまとめた広告生成のためのデータを示す。尚、企画情報はサーバ装置１０１で記憶していてもよいし、他の記憶装置に記憶されている情報を適宜取得してもよい。
【０１０９】
図１０の企画指示テーブル１０００は、企画用の広告データを生成可能な企画情報をまとめたテーブルの一例を示す。企画指示テーブル１０００は、分類１００１、タイトル１００２、パターン１００３、売り出し開始日１００４、売り出し終了日１００５、ＪＡＮコード１００６、メーカー名１００７、商品名１００８、売価１００９、キャッチコピー１０１０を備える。分類１００１は企画用（特売用）広告のデータか通常広告のデータかの分類を示し、タイトル１００２は企画のタイトルを示す。パターン１００３はＰＯＰ広告のレイアウトパターンを示し、売り出し開始日１００４と売り出し終了日１００５はそれぞれ該当商品の売り出し開始日と売り出し終了日を示す。すなわちＰＯＰ広告の掲載期間も示している。さらに、ＪＡＮコード１００６、メーカー名１００７、商品名１００８、売価１００９、キャッチコピー１０１０は、商品ごとの情報であり企画用のＰＯＰ広告に印字されるデータを示す。図７のステップＳ７１０では、この企画指示テーブル１０００を企画情報として取得する。
【０１１０】
図７のフローチャートに話を戻す。ステップＳ７１１では、サーバ装置１０１のＣＰＵ２０１は、ステップＳ７０９で特定した現在の日付とステップＳ７０８で特定したＪＡＮコードに基づいて、該当する商品が企画情報の中に含まれているか否かを判定する。つまり、ステップＳ７０８で特定したＪＡＮコードが、現在開催されている企画対象商品の中に含まれているか否かを判定する。サーバ装置１０１のＣＰＵ２０１は、該当する商品のＪＡＮコードが企画情報に含まれていると判定した場合はステップＳ７１２に処理を進める。サーバ装置１０１のＣＰＵ２０１は、該当する商品のＪＡＮコードが企画情報に含まれていないと判定した場合はステップＳ７１３に処理を進める。
【０１１１】
ステップＳ７１２では、サーバ装置１０１のＣＰＵ２０１は、企画指示テーブル１０００の売価１００９から企画用の売価を取得する。
【０１１２】
ステップＳ７１３では、サーバ装置１０１のＣＰＵ２０１は、通信制御部４０４の機能によりＰＯＳシステムから現在の最新の売価を取得する。
【０１１３】
ステップＳ７１４では、サーバ装置１０１のＣＰＵ２０１は、印刷連番取得部４０６の機能により印刷連番を取得する。
【０１１４】
ステップＳ７１５では、サーバ装置１０１のＣＰＵ２０１は、ステップＳ７０８で特定したＪＡＮコード、ステップＳ７１３もしくはステップＳ７１４で取得した売価情報、及びステップＳ７１４で取得した印刷連番を対応付ける。そして対応付けたものを売価チェックテーブル９００に記憶する。
【０１１５】
サーバ装置１０１のＣＰＵ２０１は、ステップＳ７０６からステップＳ７１５の処理を携帯端末１０２から受信した印刷連番の数だけ繰り返す。
【０１１６】
ステップＳ７１６では、サーバ装置１０１のＣＰＵ２０１は、印刷連番を新しく取得したＰＯＰ広告のデータを抽出する。つまり、ステップＳ７０７で二つの売価が同一でないと判断され、新しく印刷連番が取得されたデータを抽出する。
【０１１７】
次に、図８のステップＳ７１７では、サーバ装置１０１のＣＰＵ２０１は、ステップＳ７１６で抽出したデータを情報処理装置１００に送信する。
【０１１８】
ステップＳ７１８では、情報処理装置１００のＣＰＵ２０１は、サーバ装置１０１からステップＳ７１６で抽出したデータを受信する。
【０１１９】
ステップＳ７１９では、情報処理装置１００のＣＰＵ２０１は、ステップＳ７１８で受信した、二つの売価に差異のあるＰＯＰ広告の印刷データを新たに生成する。ここで、ステップＳ７１１の判断により、情報処理装置１００のＣＰＵ２０１は、企画開催中の対象商品を示す広告データが含まれていれば企画情報を用いて企画用の印刷データを生成する。また、情報処理装置１００のＣＰＵ２０１は、企画開催中の対象商品を示す広告データが含まれていなければ通常のＰＯＰ広告の印刷データを生成する。
【０１２０】
ステップＳ７２０では、情報処理装置１００のＣＰＵ２０１は、印刷装置１０３にＰＯＰ広告の出力指示を送信する。
【０１２１】
ステップＳ７２１では、情報処理装置１００のＣＰＵ２０１は、ＰＯＰ広告を印刷した印刷時間を特定し、サーバ装置１０１に送信する。
【０１２２】
ステップＳ７２２では、サーバ装置１０１のＣＰＵ２０１は、情報処理装置１００から受信した印刷時間を売価チェックテーブル９００の印刷時間９０５に格納して一連の処理を終了する。
【０１２３】
以上により、第二の実施形態における、携帯端末１０２で読み取り抽出した、情報に変更が生じているＰＯＰ広告を印刷する仕組みの説明を終了する。本実施形態では売価情報の変更をＰＯＰ広告の変更基準としているが、売価情報に限らずＰＯＰ広告の掲載期間やキャッチコピーの変更など他の情報の変更をＰＯＰ広告の変更基準としてもよい。
【０１２４】
第二の実施形態の処理により、店舗の担当者は携帯端末１０２でＰＯＰ広告を撮像するだけで、情報に変更が生じ新しく印刷すべきＰＯＰ広告を発見するだけでなく、印刷が必要なＰＯＰ広告を容易に印刷することが可能となる。さらに、変更が生じたＰＯＰ広告は自動で作成されるため、ＰＯＰ広告の作成によって変更すべきＰＯＰ広告が通知され、かつ張り替えるべきＰＯＰ広告を作成し忘れたり、印刷を忘れたりするといった問題も抑止可能な効果を奏する。
【０１２５】
[実施形態３]
ここで、図１２から１５を用いて第三の実施形態について説明する。第一の実施形態と第二の実施形態は、携帯端末１０２を用いてＰＯＰ広告の状態を認識した。第三の実施形態は、ＰＯＰ広告の売価情報とともに店内の位置情報や商品を陳列する棚の情報（棚情報）を取得し、店内のどの位置にあるＰＯＰ広告がどのような状態にあるのかを示す画面を表示するための処理を示す。
【０１２６】
第三の実施形態では携帯端末１０２を中心に説明するが、携帯端末１０２だけでなく、自走するロボットなど移動可能な情報処理装置や端末であってもよい。ＰＯＰ広告の撮像を行う主体がロボット等の場合は、店内の走行経路をあらかじめ記憶しておき、記憶されている走行経路に沿って移動しながら、ＰＯＰ広告を撮像してＰＯＰ広告に含まれる売価情報を取得するとよい。
【０１２７】
まずは、図１２のフローについて説明する。図１２のステップＳ１２０１では、携帯端末１０２のＣＰＵ２２１は、撮像部４０７の機能によりＰＯＰ広告の撮像を開始する。尚、上述したように、撮像を行うのは携帯端末１０２に限らず、ロボットなど自走する情報処理装置がアプリケーションを起動し、撮像を開始してもよい。
【０１２８】
ステップＳ１２０２では、携帯端末１０２のＣＰＵ２２１は、撮像を行った際の位置情報を取得する（位置情報取得手段）。位置情報は、ＧＰＳ（Ｇｌｏｂａｌ  Ｐｏｓｉｔｉｏｎｉｎｇ  Ｓｙｓｔｅｍ）により取得してもよいし、店内の商品の棚情報などを取得してもよく、撮像したＰＯＰ広告の位置がわかる情報であればどの情報であってもよい。
【０１２９】
ここで、図１３の広告位置チェックテーブル１３００について説明する。広告位置チェックテーブル１３００は、携帯端末１０２で撮像したＰＯＰ広告の位置を含めた情報を格納するデータテーブルの一例を示す。広告位置チェックテーブル１３００は、棚情報１３０１、ＪＡＮコード１３０２、商品名１３０３、ＰＯＰ情報１３０４を含む。棚情報１３０１は、ＰＯＰ広告を撮像した棚の位置や棚の場所を示す。ＪＡＮコード１３０２と商品名１３０３は、撮像したＰＯＰ広告に印字されたＪＡＮコードとＰＯＰ広告に印字された商品名をそれぞれ示す。ＰＯＰ情報１３０４は、撮像したＰＯＰ広告の印刷状態などの情報を示す。
【０１３０】
ステップＳ１２０３では、携帯端末１０２のＣＰＵ２２１は、ＰＯＰ広告を撮像して取得し、特定したＰＯＰ広告の印刷連番をサーバ装置１０１に送信する。携帯端末１０２のＣＰＵ２２１から印刷連番を受信したサーバ装置１０１の処理は、図６のステップＳ６０５からステップＳ６１２の処理と同様であるため、説明を省略する。つまり、印刷連番を受信したサーバ装置１０１は、印刷連番をキーにＰＯＰ広告の売価情報を比較し、ＰＯＰ広告の売価情報に差異がないか否かを判定する。そして、売価情報に差異があれば当該ＰＯＰ広告が印刷済みで張り替え漏れがあるのか、もしくは未印刷なのかを判定してそのチェック結果を携帯端末１０２に送信する。
【０１３１】
ステップＳ１２０４では、携帯端末１０２のＣＰＵ２２１は、サーバ装置１０１からチェック結果を受信する。
【０１３２】
ステップＳ１２０５では、携帯端末１０２のＣＰＵ２２１は、ステップＳ１２０４で受信したチェック結果とステップＳ１２０２で取得した位置情報を対応付けて広告位置チェックテーブル１３００に格納して保存する。例えば、受信したチェック結果は広告位置チェックテーブル１３００のＰＯＰ情報１３０４に格納され、位置情報は棚情報１３０１に格納される。尚、本実施形態では広告位置チェックテーブル１３００は携帯端末１０２に記憶するが、サーバ装置１０１で記憶してもよい。
【０１３３】
ステップＳ１２０６では、携帯端末１０２のＣＰＵ２２１は、広告情報の表示画面を生成する。より具体的には、広告位置チェックテーブル１３００の情報をもとに、印字した情報に差異があると判定されたユーザに通知すべきＰＯＰ広告の情報を表示する画面の生成を行う。尚、本実施形態では携帯端末１０２が広告情報表示画面生成処理を行っているが、サーバ装置１０１で広告情報表示画面の生成処理を行い、携帯端末１０２がサーバ装置１０１にて生成された情報を適宜取得してもよい。
【０１３４】
ステップＳ１２０７では、携帯端末１０２のＣＰＵ２２１は、ステップＳ１２０６で生成された広告情報表示画面を、携帯端末１０２のディスプレイ２３０上に表示する。
【０１３５】
ここで、図１４について説明する。図１４は張り替えが必要な広告情報を示す画面１４００であり、ステップＳ１２０７で表示する画面の一例を示す。張り替えが必要な広告情報を示す画面１４００は、広告情報表示１４０１と店内図１４０２を含む。店内図１４０２において通知すべきＰＯＰ広告の場所を示し、広告情報表示１４０１で当該ＰＯＰ広告がどのような状態にあるのかを色やマーク、記号などで識別表示する。この表示により、あとから管理者がＰＯＰ広告の状態を確認する際に、どの位置のＰＯＰ広告がどういった状態で張り替えが必要なのかを一目で確認することが可能となる。また、記号や図でＰＯＰ広告の状態を表しているため、例えばディスプレイ２３０が小さな端末であっても、ユーザに見やすい形でＰＯＰ広告の状態を通知することが可能となる。尚、本実施形態では通知すべきＰＯＰ広告の情報について図を用いて表示しているが、リスト形式で表示させてもよい。また、一度ＰＯＰ広告の未印刷や張り替えについての通知を行ったにも関わらず、ＰＯＰ広告が張り替えられていない場合で再度同じような通知を行う場合もある。その際は、当該ＰＯＰ広告の情報にフラグを立てて置き、一度通知したが張り替えの対応ができていない旨などを、広告情報表示１４０１の「前回チェック済み」というような表示で画面に表示してもよい。
【０１３６】
また、本実施形態で説明に用いたＰＯＰ広告だけでなく、図１５の広告イメージ１５００のように、チラシやポスターの張り替えに関する情報を携帯端末１０２のディスプレイ２３０上で表示するようにしてもよい。また、撮像する対象となる広告の情報を含んだコードは、カラーコードだけでなく、二次元バーコードなど広告の情報が読み取れる識別情報であればどんな情報であってもよい。図１５では、例えば、ポスターやチラシに掲載期間情報を含むコードを印字し、当該コードを携帯端末１０２で撮像することで、掲載期間内か否か、対象の広告は未印刷か張り替え漏れか否か、といった判定を行い当該ポスターやチラシに関する情報を表示する。
【０１３７】
以上により、第三の実施形態における、店内のどの位置にあるＰＯＰ広告がどのような状態にあるのかを示す画面を表示するための処理の説明を終了する。
【０１３８】
以上のように本発明によれば、情報が変更される商品の広告において、張り替えるべき広告の状態を容易に認識可能な効果を奏する。
【０１３９】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１４０】
尚、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【０１４１】
したがって、本発明の機能処理を情報処理装置で実現するために、情報処理装置にインストール（搭載可能な）されるプログラムコード自体も本発明を実現するものである。つまり、本発明は、本発明の機能処理を実現するためのコンピュータプログラム自体も含まれる。
【０１４２】
その場合、プログラムの機能を有していれば、オブジェクトコード、インタプリタにより実行されるプログラム、ＯＳに供給するスクリプトデータ等の形態であってもよい。
【０１４３】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１４４】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１４５】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【０１４６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【０１４７】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【０１４８】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１４９】
尚、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１５０】
１００  情報処理装置
１０１  サーバ装置
１０２  携帯端末
１０３  印刷装置
２０１  ＣＰＵ
２３０  ディスプレイ
２１１  外部メモリ
２２１  ＣＰＵ
２３１  外部メモリ
２３２  カメラ
【図１】
2019079534.tif 000003
【図２】
2019079534.tif 000004
【図３】
2019079534.tif 000005
【図４】
2019079534.tif 000006
【図５】
2019079534.tif 000007
【図６】
2019079534.tif 000008
【図７】
2019079534.tif 000009
【図８】
2019079534.tif 000010
【図９】
2019079534.tif 000011
【図１０】
2019079534.tif 000012
【図１１】
2019079534.tif 000013
【図１２】
2019079534.tif 000014
【図１３】
2019079534.tif 000015
【図１４】
2019079534.tif 000016
【図１５】
2019079534.tif 000017